(57)【要約】【課題】スポーツ対戦結果の記事データのレイアウト作業を、オペレータの負荷の低減、及び作業効率の向上を図りつつ可能とすること。【解決手段】本発明によれば、新聞または雑誌に掲載する素材の情報を紙面上に配置することによって紙面を制作する新聞雑誌制作システムにおいて、予め定められたデータ構成で作成されたスポーツ対戦結果の記事データを受信する記事サーバ１４と、記事サーバ１４によって受信された記事データのデータ構成を解析する組版端末２０とを備えている。【選択図】    図１
2004258731.tif 000002
【特許請求の範囲】
【請求項１】
新聞または雑誌に掲載する素材の情報を紙面上に配置することによって紙面を制作する新聞雑誌制作システムにおいて、
予め定められたデータ構成で作成されたスポーツ対戦結果の記事データを受信する記事データ受信手段と、
前記記事データ受信手段によって受信された記事データのデータ構成を解析するデータ構成解析手段と
を備えた新聞雑誌制作システム。
【請求項２】
請求項１に記載の新聞雑誌制作システムにおいて、
前記データ構成解析手段によって解析されたデータ構成に基づいて、前記記事データの内容を前記紙面へ配置するためのレイアウトを決定するレイアウト決定手段を備えた新聞雑誌制作システム。
【請求項３】
請求項２に記載の新聞雑誌制作システムにおいて、
前記記事データは、文字データからなる勝ちチーム名情報、スコア情報、および負けチーム名情報を含んでおり、
前記レイアウト決定手段は、前記記事データに含まれる勝ちチーム名情報、スコア情報、および負けチーム名情報の文字数に基づいて、前記スコア情報を区別するためのパーレンを用いるか否かを判定し、パーレンを用いると判定した場合には、パーレン表示用エリアを前記レイアウトの中に確保するようにした新聞雑誌制作システム。
【請求項４】
請求項２または請求項３に記載の新聞雑誌制作システムにおいて、
前記レイアウト決定手段によって決定されたレイアウトに、前記記事データの内容を配置する配置手段を備えた新聞雑誌制作システム。
【発明の詳細な説明】
【０００１】
【発明の属する技術分野】
本発明は、新聞雑誌制作システムに係り、更に詳しくは、記事の中にスポーツ対戦結果を配置する場合、勝ちチーム名、スコア、負けチーム名をバランス良くレイアウトする機能を備えた新聞および雑誌の制作システムに関するものである。
【０００２】
【従来の技術】
記事、画像、写真等の素材からなる新聞や雑誌の編集において、紙面レイアウトを効率的に作成することは非常に重要である。このような紙面レイアウトの効率的な作成を行うために、例えば特許文献１に示すような発明がなされている。新聞や雑誌には、社会記事、政治記事、経済記事、および国際記事等様々なジャンルの記事が掲載されるが、特許文献１で開示された技術によって、これら記事に関する紙面レイアウトの作成における効率化が図られた。
【０００３】
しかしながら、新聞や雑誌には、これら記事の他に、スポーツ記事も掲載される。スポーツ記事は、社会記事、政治記事、経済記事、および国際記事とは異なった固有の特徴を有している。それは、対戦結果の掲載である。この対戦結果の掲載は、新聞紙面の場合、以下に示すように、決められた条件の下でレイアウトするというルールがある。
【０００４】
すなわち、対戦結果の掲載は、図２４に示すように、２ｍｍ程度の大きさの「１倍文字」と称される文字が１５字／行からなる「段」にレイアウトしなくてはならない。したがって、１段の高さは約３ｃｍとなる。なお、新聞紙面の１ページは、図２５に示すように、このような「段」を１５段重ねてなる。
【０００５】
このように、スポーツの対戦結果は、１段の出来上がり寸法内に、１５字／行の１倍文字によってレイアウトされる。しかしながら、競技毎のスコアや対戦結果の表現に違いが有るために、例えば図２６に示すように、レイアウトフォームはそれぞれ異なる。
【０００６】
図２６（ａ）に示すレイアウトフォームは、「４５４フォーム」と呼ばれる形式であり、名４字、総スコア１字、スコア３字でスコアの上下にパーレン（括弧）が付く。
【０００７】
図２６（ｂ）に示すレイアウトフォームは、「５３５フォーム」と呼ばれる形式であり、名５字、スコア３字でスコアの上下にパーレンが付く。総スコアは記載されない。
【０００８】
図２６（ｃ）に示すレイアウトフォームは、「変則４５４フォーム」と呼ばれる形式であり、名４字、総スコア１字、スコア４字でスコアの上下にパーレンが付く。
【０００９】
図２６（ｄ）に示すレイアウトフォームは、「パーレン無５３５フォーム」と呼ばれる形式であり、名５字、スコア３字でスコアの上下にパーレンが付かない。
【００１０】
図２６（ｅ）に示すレイアウトフォームは、「パーレン無４５４フォーム」と呼ばれる形式であり、名４字、スコア５字でスコアの上下にパーレンが付かない。
【００１１】
図２６（ｆ）に示すレイアウトフォームは、「団体戦４５４フォーム」と呼ばれる形式であり、勝ち負け１字、名３字、総スコア１字、スコア３字でスコアの上下にパーレンが付く。
【００１２】
図２６（ｇ）に示すレイアウトフォームは、「団体戦５３５フォーム」と呼ばれる形式であり、勝ち負け１字、名４字、スコア３字でスコアの上下にパーレンが付かない。
【００１３】
上記何れかのレイアウトフォームによって表現される対戦結果の記事は、通信社より図２７（ａ）〜図２７（ｇ）に示すもののうちの何れかのテキスト形式で送られてくる。すなわち、図２７（ａ）のテキスト形式で送られた場合、図２６（ａ）に示す通り表示される。以下、図２７（ｂ）は図２６（ｂ）に、図２７（ｃ）は図２６（ｃ）に、図２７（ｄ）は図２６（ｄ）に、図２７（ｅ）は図２６（ｅ）に、図２７（ｆ）は図２６（ｆ）に、図２７（ｇ）は図２６（ｇ）にそれぞれ対応している。
【００１４】
【特許文献１】
特開平１１−１５４２３９号公報
【００１５】
【発明が解決しようとする課題】
しかしながら、このような従来の新聞雑誌制作システムでは、以下のような問題がある。
【００１６】
すなわち、通信社から送られたテキスト形式の記事のままでは、図２６に示すレイアウトのようにはならない。このため、送られてきたテキスト形式に対応するレイアウトフォームへの変換操作が、オペレータ判断によってなされている。
【００１７】
例えば、図２６（ａ）に示す「４５４フォーム」の対戦結果を作るには、図２７（ａ）の形式で送信された記事に基づいて、図２８（ａ）に示すような変換用データを、オペレータ操作によって作成する必要がある。図２８（ａ）に示すような変換用データを、専用のソフトウェアに入力すると、図２８（ｂ）に示すように「勝ちチーム名」、「勝ちチーム総得点」、「勝ちチームパーレン」、「試合結果」、「負けチームパーレン」、「負けチーム総得点」、および「負けチーム名」といった７つのフィールドから構成されたレイアウトパターンを定義しているフィールド情報が作成され、更に、各フィールドに文字データが当てはめられることによって、図２８（ｃ）に示すような表示用データになる。
【００１８】
しかしながら、上述したような変換用データの作成作業は、通信社から送られてきた記事の内容をオペレータが把握してから手入力で行わねばならず、オペレータの負荷が大きく、多大な労力および時間を要するという問題がある。
【００１９】
また、変換用データの作成作業は、人間系によるために、誤入力の恐れがあるという問題がある。
【００２０】
本発明はこのような事情に鑑みてなされたものであり、通信社から送信されてきたスポーツ対戦結果の記事データのデータ構成に基づいて、記事データから表示用データへ変換するための変換用データを自動的に生成するようにし、もって、オペレータの負荷の低減、および作業効率の向上を図ることが可能な新聞雑誌制作システムを提供することを目的とする。
【００２１】
【課題を解決するための手段】
上記の目的を達成するために、本発明では、以下のような手段を講じる。
【００２２】
すなわち、請求項１の発明は、新聞または雑誌に掲載する素材の情報を紙面上に配置することによって紙面を制作する新聞雑誌制作システムにおいて、予め定められたデータ構成で作成されたスポーツ対戦結果の記事データを受信する記事データ受信手段と、記事データ受信手段によって受信された記事データのデータ構成を解析するデータ構成解析手段とを備えている。
【００２３】
従って、請求項１の発明の新聞雑誌制作システムにおいては、以上のような手段を講じることにより、通信社から送信された記事データを受信し、受信した記事データのデータ構成を解析することができる。
【００２４】
請求項２の発明は、請求項１の発明の新聞雑誌制作システムにおいて、データ構成解析手段によって解析されたデータ構成に基づいて、記事データの内容を紙面へ配置するためのレイアウトを決定するレイアウト決定手段を備えている。
【００２５】
従って、請求項２の発明の新聞雑誌制作システムにおいては、以上のような手段を講じることにより、記事データのデータ構成に基づいて、記事データの内容を紙面に配置するためのレイアウトを決定することができる。
【００２６】
請求項３の発明は、請求項２の発明の新聞雑誌制作システムにおいて、記事データは、文字データからなる勝ちチーム名情報、スコア情報、および負けチーム名情報を含んでおり、レイアウト決定手段は、記事データに含まれる勝ちチーム名情報、スコア情報、および負けチーム名情報の文字数に基づいて、スコア情報を区別するためのパーレンを用いるか否かを判定し、パーレンを用いると判定した場合には、パーレン表示用エリアをレイアウトの中に確保する。
【００２７】
従って、請求項３の発明の新聞雑誌制作システムにおいては、以上のような手段を講じることにより、パーレンを用いる場合には、レイアウトの中にパーレンを表示するためのエリアを確保することができる。
【００２８】
請求項４の発明は、請求項２または請求項３の発明の新聞雑誌制作システムにおいて、レイアウト決定手段によって決定されたレイアウトに、記事データの内容を配置する配置手段を備えている。
【００２９】
従って、請求項４の発明の新聞雑誌制作システムにおいては、以上のような手段を講じることにより、決定したレイアウトに、記事データの内容を配置することができる。パーレン表示エリアがレイアウトの中に確保された場合には、パーレン表示エリアにパーレンを配置することができる。
【００３０】
【発明の実施の形態】
以下に、本発明の実施の形態について図面を参照しながら説明する。
【００３１】
本発明の実施の形態を図１から図２５、および図２８を用いて説明する。
【００３２】
図１は、本発明の実施の形態に係る新聞雑誌制作システムの一例を示す機能ブロック図である。
【００３３】
すなわち、本発明の実施の形態に係る新聞雑誌制作システムは、バス１０を介して互いに接続された記事入力校正端末１２と、記事サーバ１４と、画像入力加工端末１６と、画像サーバ１８と、組版端末２０と、組版サーバ２２と、大刷プリンタ２４と、編集出力サーバ２６と、版下プリンタ２８とを備えている。
【００３４】
記事入力校正端末１２は、記事の入力および校正を行うための端末であり、記者によって記事データが入力されると、入力された記事データは、記事入力校正端末１２から記事サーバ１４へと出力されるようにしている。記事データとは、図２７に示すように、スポーツ対戦結果を示すテキスト形式のデータであり、図２４に示すように、１５字／行からなる「段」にレイアウトされるように作成されている。また、この記事入力校正端末１２は、記事サーバ１４に蓄積されている記事データを取得する。この取得された記事データは、記事入力校正端末１２を介してなされるオペレータ操作によって校正され、更に校正された記事データは、記事入力校正端末１２から記事サーバ１４に再び出力されるようにしている。
【００３５】
記事サーバ１４は、上述したように記事入力校正端末１２から記事データが入力される他に、通信回線を経由して通信社３０からも記事データが入力されるようにしている。この記事データは、図２７に示すようなスポーツ対戦結果の記事データをも含んでいる。この記事データは、文字データからなり、勝ちチーム名情報、スコア情報、および負けチーム名情報を含んでいる。記事サーバ１４は、スポーツ対戦結果の記事データを取得すると、取得した記事データを組版サーバ２２へ出力し、更にそこから組版端末２０へと出力する。
【００３６】
スポーツ対戦結果以外の記事データは、記事サーバ１４が一旦蓄積し、記事入力校正端末１２から要求のあった場合には、対応する記事データを記事入力校正端末１２へと出力する。更に、蓄積している記事データを、オペレータ指示に基づいて組版サーバ２２へと出力する。
【００３７】
画像入力加工端末１６は、スキャナやディスプレイ等を備えており、画像データの入力および画像データの加工を行う。画像入力加工端末１６は、画像データが入力されると、入力された画像データを画像サーバ１８へと出力する。また、オペレータから入力された画像データの加工操作入力に基づいて画像データを加工し、加工した画像データを、画像サーバ１８へと出力する。
【００３８】
画像サーバ１８は、画像入力加工端末１６から出力された画像データを取得して蓄積する。このようにして蓄積された画像データは、画像入力加工端末１６から要求があると、画像入力加工端末１６へと出力する。また、オペレータから指示があった場合には、組版サーバ２２へと出力する。
【００３９】
組版端末２０は、オペレータが記事、画像、および見出しのレイアウト編集を行うための操作入力を行う端末であり、各オペレータに対して１台ずつ備えている。各オペレータは、自己が操作担当する組版端末２０を操作することによってレイアウト編集作業を行っている。組版端末２０に操作入力されて作成された操作情報は、組版サーバ２２へと出力されるようにしている。
【００４０】
また、組版端末２０は、記事サーバ１４から組版サーバ２２へと出力され、更にそこから出力されたスポーツ対戦結果の記事データを取得した場合には、この記事データのデータ構成を解析する。そして、解析結果に基づいて、記事データの内容を紙面へ配置するためのフィールド情報を決定する。上述したように、対戦結果の掲載は、図２４に示すように、２ｍｍ程度の大きさの「１倍文字」と称される文字が１５字／行からなる「段」にレイアウトしなくてはならない。従来技術でも説明したが、この根拠について以下に説明する。
【００４１】
すなわち、図２５は、一般的な１５段からなる紙面構成を示す概念図である。新聞紙面では、この図２５に示すように、１ページをＹ方向に１５分割し、分割した１／１５の単位を「段」と称している。一段の高さは約３ｃｍであり、図２４に示すように、この一段に入る文字は１５字までと決められている。したがって、１文字の大きさは２ｍｍ程度となる訳である。
【００４２】
本発明は、通信社３０から送信されてきたスポーツ対戦結果の記事データに基づいて、このように従来から決められている紙面構成に配置できるような表示用データへ変換するための変換用データを自動的に生成するものである。
【００４３】
フィールド情報とは、例えば図２８に示すように、この１５字にどのようなレイアウト構成で勝ちチーム名、得点、試合結果、負けチーム名等を配置するかを定義した情報である。次に、構成が決定された各フィールド情報にしたがって記事データを編集し、編集済みデータを作成する。更に、編集済みデータにしたがって配置することによって、スポーツ対戦結果の記事データのレイアウトを完了する。
【００４４】
以下に、データ構成の解析方法について説明する。
すなわち、組版端末２０は、図２に示すような記事データパターン判別テーブルを備えている。上述したように、対戦結果の掲載は、図２４に示すように、２ｍｍ程度の大きさの「１倍文字」と称される文字が１５字／行からなる「段」にレイアウトしなくてはならない。図２における「本」は、このように１行に含まれる１５字を示している。また、図２における「数」は、「本」＝０に相当する中心高さからの文字数をそれぞれ表している。更に、図２における「判別文字」は、「４５４フォーム」、「５３５フォーム」、「変則４５４フォーム」、「パーレン無５３５フォーム」、「パーレン無４５４フォーム」の何れかに判別するかを比較するための判別条件を示している。
【００４５】
例えば、「本」＝５で「数」＝３の場合、□であれば「４５４フォーム」または「パーレン無４５４フォーム」であり、洋数字であれば「変則４５４フォーム」であると判別する。
【００４６】
組版端末２０は、記事サーバ１４から組版サーバ２２へと出力され、更にそこから出力されたスポーツの対戦結果の記事データを取得した場合には、この記事データの構成を、図２に示す記事データパターン判別テーブルの判別文字と比較することによって、「４５４フォーム」から「パーレン無４５４フォーム」に示すどのパターンに該当するかを判別する。「４５４フォーム」から「パーレン無４５４フォーム」に示すパターンはそれぞれ５文字目から１１文字目までが異なっているので、５文字目から１１文字目までを比較することによってどのフォームに該当するかを判別する。そして、「４５４フォーム」、または「５３５フォーム」であると判別した場合には、更に、図３に示すように、１文字目と１５文字目とに基づいて、団体戦フォームであるか否かを判別する。つまり、同じ列における１文字目と１５文字目とのパターンが「□と□」、「○と□」、「□と○」との３パターンのうちの何れかである場合には、「４５４フォーム」は「団体戦４５４フォーム」であり、「５３５フォーム」は「団体戦５３５フォーム」であると判定する。
【００４７】
次に、フィールド情報の決定方法について説明する。
組版端末２０は、図４に示すようなレイアウトパターンテーブルを備えている。そして、レイアウトパターンテーブルを参照することによって、解析されたデータ構成のフォームに対応するレイアウト方法を抽出することによってフィールドの構成を決定する。
【００４８】
各データ構成に対応するフィールド情報は、それぞれ図５から図１１に示す通りである。すなわち、「４５４フォーム」の場合、図４に示すように、「名４字、総スコア１字、スコア３字でスコアの上下にパーレンが付くフォーム」であるので、これを図示すると、図５に示すようなフィールド情報となる。以下同様にして、「５３５フォーム」の場合、図６に示すようなフィールド情報となり、「変則４５４フォーム」の場合、図７に示すようなフィールド情報となり、「パーレン無５３５フォーム」の場合、図８に示すようなフィールド情報となり、「パーレン無４５４フォーム」の場合、図９に示すようなフィールド情報となり、「団体４５４フォームの場合」、図１０に示すようなフィールド情報となり、「団体５３５フォーム」の場合、図１１に示すようなフィールド情報となる。
【００４９】
図５に示す「４５４フォーム」、図６に示す「５３５フォーム」、図７に示す「変則４５４フォーム」、および図１０に示す「団体４５４フォーム」の場合には、パーレンを用いるものとし、パーレン表示用エリアとして勝ちチームパーレンおよび負けチームパーレンとしてそれぞれ１字分確保する。
【００５０】
次に、構成が決定された各フィールド情報にしたがって記事データを編集し、編集済みデータを作成する方法について、「４５４フォーム」の場合を例に説明する。
【００５１】
図５に示すように、「４５４フォーム」は、勝ちチーム名と、勝ちチーム総得点と、勝ちチームパーレンと、試合結果と、負けチームパーレンと、負けチーム総得点と、負けチーム名との７つのフィールドからなる。更に各フィールドの文字数は順に４字、１字、１字、３字、１字、１字、４字である。編集済みデータでは、このようなフィールド構成を図１２（ａ）に示すように表す。図１２（ａ）において、［スポーツＳ］は編集済みデータの開始を表す制御文字であり、［字数］は各フィールドの字数を示し、［区切］はフィールド構成の終わりを示す。
【００５２】
次に、以下に示すようにして、勝ちチーム名である第１フィールドと、勝ちチーム総得点である第２フィールドと、勝ちチームパーレンである第３フィールドと、試合結果である第４フィールドと、負けチームパーレンである第５フィールドと、負けチーム総得点である第６フィールドと、負けチーム名である第７フィールドにそれぞれ対応する文字を記事データから取り出してを割り付ける。
【００５３】
１）第１フィールドの編集
「４５４フォーム」の第１フィールドは勝ちチーム名４文字なので、記事データの各行の先頭から４文字分を順番に取り出す。その時に、図１２（ｂ）に示すように各行の境界は［改行］の制御文字を入れ、最後にフィールドの境界を表す［区切］の制御文字を入れる。取り出す文字が４文字すべて空白文字であれば、そこで取り出しを終了する。
【００５４】
２）第２フィールドの編集
「４５４フォーム」の第２フィールドは勝ちチーム総得点なので、記事データの各行の６文字目から１文字を順番に取り出す。その時に、図１２（ｃ）に示すように各行の境界は［改行］の制御文字を入れ、最後にフィールドの境界を表す［区切］の制御文字を入れる。取り出す文字が空白文字であれば、そこで取り出しを終了する。
【００５５】
３）第３フィールドの編集
「４５４フォーム」の第３フィールドは勝ちチームパーレンである。パーレンは元の記事データに指定が無いので自動で設定する。設定は、図１２（ｄ）に示すように、［開きパーレン］の制御文字とパーレンが掛かる行数を指定し、最後にフィールドの境界を表す［区切］の制御文字を入れる。
【００５６】
４）第４フィールドの編集
「４５４フォーム」の第４フィールドはスコア３文字なので記事データの各行の７文字目から３文字分を順番に取り出す。その時に、図１２（ｅ）に示すように、各行の境界は［改行］の制御文字を入れ、最後にフィールドの境界を表す［区切］の制御文字を入れる。取り出す文字が３文字すべて空白文字であれば、そこで取り出しを終了する。
【００５７】
５）第５フィールドの編集
「４５４フォーム」の第５フィールドは負けチームパーレンである。パーレンは元の記事データに指定が無いので自動で設定する。設定は、図１２（ｆ）に示すように、［閉じパーレン］の制御文字とパーレンが掛かる行数を指定し、最後にフィールドの境界を表す［区切］の制御文字を入れる。
【００５８】
６）第６フィールドの編集
「４５４フォーム」の第６フィールドは負けチーム総得点なので記事データの各行の１０文宇目から１文字を順番に取り出す。その時に、図１２（ｇ）に示すように、各行の境界は［改行］の制御文字を入れ、最後にフィールドの境界を表す［区切］の制御文字を入れる。取り出す文字が空白文字であれば、そこで取り出しを終了する。
【００５９】
７）第７フィールドの編集
「４５４フォーム」の第７フィールドは負けチーム名４文字なので記事データの各行の１１字目から４文字分を順番に取り出す。その時に、図１２（ｈ）に示すように、各行の境界は［改行］の制御文字を入れ、最後に記事データの終了を表す［スポーツ終］の制御文字を入れる。取り出す文字が４文字すべて空白文字であればそこで取り出しを終了する。
【００６０】
図１２（ｈ）に示すように作成された編集済みデータにしたがって表示することによって、記事データのレイアウトを完了する。
【００６１】
図１３（ａ）は、図１２（ｈ）に示す編集済みデータを表示した一例を示すものであって、これは図１３（ｂ）に示すフィールド情報（図５と同じ）の各部位に、図１３（ｃ）に示す記事データの該当する文字を当てはめたものに相当する。
【００６２】
図１４（ａ）は、「５３５フォーム」に対応する編集済みデータを表示した一例を示すものであって、これは図１４（ｂ）に示すフィールド情報（図６と同じ）の各部位に、図１４（ｃ）に示す記事データの該当する文字を当てはめたものに相当する。
【００６３】
図１５（ａ）は、「変則４５４フォーム」に対応する編集済みデータを表示した一例を示すものであって、これは図１５（ｂ）に示すフィールド情報（図７と同じ）の各部位に、図１５（ｃ）に示す記事データの該当する文字を当てはめたものに相当する。
【００６４】
図１６（ａ）は、「パーレン無５３５フォーム」に対応する編集済みデータを表示した一例を示すものであって、これは図１６（ｂ）に示すフィールド情報（図８と同じ）の各部位に、図１６（ｃ）に示す記事データの該当する文字を当てはめたものに相当する。
【００６５】
図１７（ａ）は、「パーレン無４５４フォーム」に対応する編集済みデータを表示した一例を示すものであって、これは図１７（ｂ）に示すフィールド情報（図９と同じ）の各部位に、図１７（ｃ）に示す記事データの該当する文字を当てはめたものに相当する。
【００６６】
図１８（ａ）は、「団体４５４フォーム」に対応する編集済みデータを表示した一例示すものであって、これは図１８（ｂ）に示すフィールド情報（図１０と同じ）の各部位に、図１８（ｃ）に示す記事データの該当する文字を当てはめたものに相当する。
【００６７】
図１９（ａ）は、「団体５３５フォーム」に対応する編集済みデータを表示した一例を示すものであって、これは図１９（ｂ）に示すフィールド情報（図１１と同じ）の各部位に、図１９（ｃ）に示す記事データの該当する文字を当てはめたものに相当する。
【００６８】
なお、編集済みデータを作成することなく、該当するフィールド内に対応する記事データを直接当てはめて配置するようにしても良い。
【００６９】
組版サーバ２２は、組版端末２０から出力された操作情報に基づいて、紙面の編集作業を行う。そして、このように組版サーバ２２で編集作業がなされた紙面の紙面データを保持している。そして、この保持している紙面データは、組版端末２０からの大刷／版下出力指示にしたがって、編集出力サーバ２６へと出力されるようにしている。
【００７０】
編集出力サーバ２６は、組版端末２０からの大刷／版下出力指示にしたがって、組版サーバ２２から出力された紙面データをドットデータに展開する。このように展開されたドットデータは、大刷プリンタ２４／版下プリンタ２８から、大刷や版下として出力する。
【００７１】
次に、以上のように構成した本発明の実施の形態に係る新聞雑誌制作システムによってスポーツ対戦記事のレイアウトを行う場合の動作について、図２０に示すフローチャートを用いて説明する。
【００７２】
本発明の実施の形態に係る新聞雑誌制作システムによってスポーツ対戦記事のレイアウトを行う場合には、まず、通信社３０から記事サーバ１４に対して図２７に示すようなスポーツ対戦結果の記事データが送信される（Ｓ１）。
【００７３】
この記事データは記事サーバ１４によって受信されると、記事サーバ１４から出力され、組版端末２０によって取得される（Ｓ２）。
【００７４】
この記事データは、組版端末２０において、以下のようにして、そのデータ構成の解析が開始される（Ｓ３）。すなわち、組版端末２０には、図２に示すような記事データパターン判別テーブルが備えられている。記事サーバ１４から組版端末２０へとスポーツ対戦結果の記事データ（テキスト形式）が出力されると、この記事データが、記事データパターン判別テーブルと比較されることによって、図２に示すどのパターンのデータ構成に該当するかが判別される。
【００７５】
具体的には、まず、第一段階として、テキスト形式からなるスポーツ対戦結果の記事データのうち１文字目と１５文字目とが取り出される。そして、図２１に示すように、１文字目が空白文字でかつ１５文字目が空白文字である場合、または１文字目が丸文字でかつ１５文字目が空白文字である場合、または１文字目が空白文字でかつ１５文字目が丸文字である場合には、団体戦フォームであると判定される。したがって、それ以外は団体戦以外のフォームであると判定される（Ｓ４）。
【００７６】
更に、６文宇目が取り出される。そして、単柱のとき（Ｓ５：Ｙｅｓ）には、図２２に示すように、６文字目が数字でかつステップＳ４で団体戦以外のフォームと判定されたものについては「４５４フォーム」と判定される。６文字目が数字でかつステップＳ４で団体戦フォームと判定されたものについては「団体戦４５４フォーム」と判定される。６文字目が空白文字でかつステップＳ４で団体戦以外のフォームと判定されたものについては「５３５フォーム」と判定される。６文字目が空白文字であってステップＳ４で団体戦フォームと判定されたものについては「団体戦５３５フォーム」と判定される。６文字目が「単」または「複」または「混」である場合には「変則４５４フォーム」と判定される（Ｓ６）。
【００７７】
一方、単柱以外のとき（Ｓ５：Ｎｏ）には、図２３に示すように、６文字目が空白文字でかつステップＳ４において団体戦以外のフォームであると判定されたものについては「パーレン無５３５フォーム」と判定される。６文字目が空白文字でかつステップＳ４において団体戦フォームと判定されたものについては「団体戦５３５フォーム」と判定される。６文字目が空白文字以外のものについては「パーレン無４５４フォーム」と判定される（Ｓ７）。
【００７８】
そして、組版端末２０では、判定したフォームに基づいてフィールド情報が決定される（Ｓ８）。フィールド情報とは、スポーツ対戦結果を構成する団体○、勝ちチーム名、勝ちチーム総得点、勝ちチームパーレン、スコア、負けチームパーレン、負けチーム総得点、負けチーム名、団体○の各要素を配置する領域の寸法情報である。
【００７９】
組版端末２０には、図４に示すようなレイアウトパターンテーブルが備えられており、更に各フォームに対応するフィールド情報もまた予め定められ、その情報が格納されている。すなわち、「４５４フォーム」に対応するフィールド情報は図５に示す通りであり、「５３５フォーム」に対応するフィールド情報は図６の通りであり、「変則４５４フォーム」に対応するフィールド情報は図７に示す通りであり、「パーレン無５３５フォーム」に対応するフィールド情報は図８に示す通りであり、「パーレン無４５４フォーム」に対応するフィールド情報は図９に示す通りであり、「団体４５４フォーム」に対応するフィールド情報は図１０に示す通りであり、「団体５３５フォーム」に対応するフィールド情報は図１１に示す通りである。
【００８０】
したがって、判定したフォームに基づいて、対応するフィールド情報を抽出することによって各記事データに対するフィールド情報が決定される。
【００８１】
更に、決定された各フィールド情報にしたがって記事データが編集され、編集済みデータが作成される（Ｓ９）。そして、この編集済みデータが紙面に展開されることによって、記事データが紙面に配置される（Ｓ１０）。なお、編集済みデータを作成することなく、該当するフィールド内に対応する記事データを直接当てはめて配置するようにしても良い。
【００８２】
その後、編集済みデータは、組版端末２０から編集出力サーバ２６へと出力され、編集出力サーバ２６にてドットデータに展開された後に、大刷プリンタ２４あるいは版下プリンタ２８から、大刷あるいは版下として出力される（Ｓ１１）。
【００８３】
上述したように、本発明の実施の形態に係る新聞雑誌制作システムにおいては、上記のような作用により、通信社から送信されてきたスポーツ対戦結果の記事データのデータ構成に基づいて、該記事データがどのフォームに該当するかを判定することができる。
【００８４】
更に、判定したフォームに対して１対１で予め対応付けられているフィールド情報に基づいて、各フィールドに対応する文字を記事データから抽出して指定することによって編集済みデータを作成することができる。
【００８５】
そして、この編集済みデータに従って記事データを紙面上に配置することにより、スポーツ対戦結果の記事データを紙面上にバランスよく配置することができる。
【００８６】
このように、本発明の実施の形態に係る新聞雑誌制作システムは、従来オペレータの手動操作により行ってきたスポーツ対戦結果の記事データのレイアウト処理を自動的に行うことができるようになった。その結果、オペレータの負荷の低減、および作業効率の向上を図ることができる。勿論、誤植を低減することも可能となる。
【００８７】
以上、本発明の好適な実施の形態について、添付図面を参照しながら説明したが、本発明はかかる構成に限定されない。特許請求の範囲に記載された技術的思想の範疇において、当業者であれば、各種の変更例及び修正例に想到し得るものであり、それら変更例及び修正例についても本発明の技術的範囲に属するものと了解される。
【００８８】
【発明の効果】
以上説明したように、本発明によれば、通信社から送信されてきたスポーツ対戦結果の記事データのデータ構成に基づいて、記事データから表示用データへ変換するための変換用データを自動的に生成することができる。
【００８９】
以上により、オペレータの負荷の低減、および作業効率の向上を図ることが可能な新聞雑誌制作システムを実現することができる。
【図面の簡単な説明】
【図１】本発明の実施の形態に係る新聞雑誌制作システムの一例を示す機能ブロック図
【図２】記事データパターン判別テーブルを示す模式図
【図３】団体戦フォームであるか否かの判別方法を説明するための図
【図４】レイアウトパターンテーブルを示す模式図
【図５】「４５４フォーム」のフィールド情報を示すデータ構成図
【図６】「５３５フォーム」のフィールド情報を示すデータ構成図
【図７】「変則４５４フォーム」のフィールド情報を示すデータ構成図
【図８】「パーレン無５３５フォーム」のフィールド情報を示すデータ構成図
【図９】「パーレン無４５４フォーム」のフィールド情報を示すデータ構成図
【図１０】「団体戦４５４フォーム」のフィールド情報を示すデータ構成図
【図１１】「団体戦５３５フォーム」のフィールド情報を示すデータ構成図
【図１２】編集済みデータの作成方法およびデータ構成を示す図
【図１３】「４５４フォーム」のフィールド情報と記事データの配置場所との関係を示す模式図
【図１４】「５３５フォーム」のフィールド情報と記事データの配置場所との関係を示す模式図
【図１５】「変則４５４フォーム」のフィールド情報と記事データの配置場所との関係を示す模式図
【図１６】「パーレン無５３５フォーム」のフィールド情報と記事データの配置場所との関係を示す模式図
【図１７】「パーレン無４５４フォーム」のフィールド情報と記事データの配置場所との関係を示す模式図
【図１８】「団体戦４５４フォーム」のフィールド情報と記事データの配置場所との関係を示す模式図
【図１９】「団体戦５３５フォーム」のフィールド情報と記事データの配置場所との関係を示す模式図
【図２０】本発明の実施の形態に係る新聞雑誌制作システムによってスポーツ対戦記事のレイアウトを行う場合の動作を示すフローチャート
【図２１】団体戦フォームであることを判定するための判定条件を示す図
【図２２】フォームを判定するための判定条件を示す図（単柱の場合）
【図２３】フォームを判定するための判定条件を示す図（単柱以外の場合）
【図２４】１５行からなる１段を示す図
【図２５】１５段からなる紙面を示す図
【図２６】スポーツ対戦結果を示すレイアウトフォームの例を示す模式図
【図２７】スポーツ対戦結果を示すテキスト形式の記事データの例を示す模式図
【図２８】変換用データのデータ構造と、フィールド情報と、表示された記事データの例を示す模式図
【符号の説明】
１０…バス、１２…記事入力校正端末、１４…記事サーバ、１６…画像入力加工端末、１８…画像サーバ、２０…組版端末、２２…組版サーバ、２４…大刷プリンタ、２６…編集出力サーバ、２８…版下プリンタ、３０…通信社
【図１】
2004258731.tif 000003
【図２】
2004258731.tif 000004
【図３】
2004258731.tif 000005
【図４】
2004258731.tif 000006
【図５】
2004258731.tif 000007
【図６】
2004258731.tif 000008
【図７】
2004258731.tif 000009
【図８】
2004258731.tif 000010
【図９】
2004258731.tif 000011
【図１０】
2004258731.tif 000012
【図１１】
2004258731.tif 000013
【図１２】
2004258731.tif 000014
【図１３】
2004258731.tif 000015
【図１４】
2004258731.tif 000016
【図１５】
2004258731.tif 000017
【図１６】
2004258731.tif 000018
【図１７】
2004258731.tif 000019
【図１８】
2004258731.tif 000020
【図１９】
2004258731.tif 000021
【図２０】
2004258731.tif 000022
【図２１】
2004258731.tif 000023
【図２２】
2004258731.tif 000024
【図２３】
2004258731.tif 000025
【図２４】
2004258731.tif 000026
【図２５】
2004258731.tif 000027
【図２６】
2004258731.tif 000028
【図２７】
2004258731.tif 000029
【図２８】
2004258731.tif 000030